(57)【特許請求の範囲】
【請求項１】
脚体と、脚体に支持させてなり使用位置と収納位置との間で回動可能な天板と、この天板を収納位置に向けて付勢する付勢機構とを具備し、
この付勢機構が、脚体に固定端側を支持させてなるとともに天板に自由端側を支持させてなるコイルばねを有するとともに、天板を収納位置に移動させた際にこのコイルばねを脚体に設けた凹部及び天板により区成される空間内に収納するようにしているものにおいて、
前記天板の下面に、コイルばねの自由端側を支持可能な自由端ブラケットを設けているとともに、この自由端ブラケットの幅寸法が前記凹部の幅寸法より小さいことを特徴とする天板付き家具。
【請求項２】
前記脚体に前記コイルばねの固定端側を支持する固定端部材を設けているとともに、この固定端部材に前記コイルばねの固定端側と係合可能な位置決め溝を設けていることを特徴とする請求項１記載の天板付き家具。
【請求項３】
前記自由端ブラケットが、脚体の奥行き方向に離間して１対に垂下して設けてなりコイルばねの自由端側の移動を規制する垂下部を有することを特徴とする請求項１又は２記載の天板付き家具。
【請求項４】
前記天板が使用位置と収納位置との間の所定位置から使用位置側にある際にのみ前記コイルばねの自由端側が天板に支持されることを特徴とする請求項１、２又は３記載の天板付き家具。
【請求項５】
前記天板の下面に、コイルばねの自由端側を支持可能な自由端ブラケットを設けているとともに、前記自由端ブラケットが、コイルばねの自由端側を天板の下面から離間させた位置で支持することを特徴とする請求項４記載の天板付き家具。
【請求項６】
前記天板が、左右１対に設けてなる天板要素を有するとともに、前記左右の天板要素がそれぞれ使用位置と収納位置との間で回動可能であることを特徴とする請求項１、２、３、４又は５記載の天板付き家具。
【請求項７】
前記左右の天板要素間にこれら左右の天板要素を同期させて移動させるべくリンク機構を設けていることを特徴とする請求項１、２、３、４、５又は６記載の天板付き家具。
【発明の詳細な説明】
【技術分野】
【０００１】
本発明は、天板を使用位置と収納位置との間で移動可能に構成しているとともに、天板を収納位置に向け付勢する付勢機構を具備する天板付き家具に関する。
【背景技術】
【０００２】
従来、天板を使用位置と収納位置との間で移動可能に構成している天板付き家具が種々考えられてきている。このような天板付き家具において、天板を収納位置から使用位置に急激に移動させると天板要素間の隙間に指を挟む等の不具合が存在する。この不具合を解消すべく、天板を収納位置に向けて付勢する付勢機構をさらに設ける態様や、天板と脚体との間にダンパを設ける態様が種々考えられてきている（例えば、特許文献１、２を参照）。
【特許文献１】実公昭４０−２０６８７号公報
【特許文献２】特開２００１−１３７０４９号公報
【発明の開示】
【発明が解決しようとする課題】
【０００３】
ところで、特許文献１記載の構成では、天板を収納位置に配した際にも、コイルばねが露出する。このような構成であれば、天板付き家具の収納時にコイルばねが外部から衝撃を受けて破損する不具合や、コイルばねの移動軌跡内に異物が挟まり天板を使用位置に移動できなくなる不具合が発生しうる。また、特許文献２記載の構成では、ダンパを必要とするため、コイルばねを用いる態様と比較して機構が複雑なものとなる。
【０００４】
本発明は、以上に述べた課題を解決すべく構成するものである。
【課題を解決するための手段】
【０００５】
すなわち、本発明に係る天板付き家具は、脚体と、脚体に支持させてなり使用位置と収納位置との間で回動可能な天板と、この天板を収納位置に向けて付勢する付勢機構とを具備し、この付勢機構が、脚体に固定端側を支持させてなるとともに天板に自由端側を支持させてなるコイルばねを有するとともに、天板を収納位置に移動させた際にこのコイルばねを脚体に設けた凹部及び天板により区成される空間内に収納するようにしているものにおいて、前記天板の下面に、コイルばねの自由端側を支持可能な自由端ブラケットを設けているとともに、この自由端ブラケットの幅寸法が前記凹部の幅寸法より小さいことを特徴とする。
【０００６】
このようなものであれば、収納位置においてコイルばねが前記凹部及び天板により区成される空間内に収納される。すなわち、コイルばねが脚体及び天板により外部空間から隠蔽される。従って、テーブルの収納時にコイルばねが外部から衝撃を受けて破損する不具合や、コイルばねの移動軌跡内に異物が挟まり天板を移動できなくなる不具合の発生を抑制することができる。また、前記天板の下面に、コイルばねの自由端側を支持可能な自由端ブラケットを設けているとともに、この自由端ブラケットの幅寸法が前記凹部の幅寸法より小さいので、付勢機構の略全体を無理なく脚体の凹部に収納させ、この凹部と前記天板とにより区成される空間に配することができる。
【０００７】
また、コイルばねをカバーにより被覆する場合に好適な態様として、前記脚体に前記コイルばねの固定端側を支持する固定端部材を設けているとともに、この固定端部材に前記コイルばねの固定端側と係合可能な位置決め溝を設けているものが挙げられる。このような構成であれば、コイルばねの固定端側を脚体の奥行き方向について位置決めできるので、このコイルばねの固定端側が脚体の奥行き方向に移動することによりコイルばねを被覆するカバーがねじれ方向の力を受け破損する不具合の発生を防ぐことができる。
【０００９】
特に、前記自由端ブラケットが、脚体の奥行き方向に離間して１対に垂下して設けてなりコイルばねの自由端側の移動を規制する垂下部を有するものであれば、テーブルの収納時に前記コイルばねの自由端側が脚体の奥行き方向にぶれることを防ぎ、確実に前記脚体に設けた凹部及び天板により区成される空間内にコイルばねを収納できる。また、このような構成により、コイルばねを被覆するカバーを設けた場合、このカバーがテーブルの収納時に脚体と天板との間に挟まり破損する不具合の発生をも抑えることができる。
【００１０】
また、収納位置から使用位置への移動をある程度容易に行うことができるようにするための構成として、前記天板が使用位置と収納位置との間の所定位置から使用位置側にある際にのみ前記コイルばねの自由端側が天板に支持されるものが挙げられる。このようなものであれば、天板を収納位置から前記所定位置まで移動させる際には天板が付勢機構から収納位置側に向かう付勢力を受けず、従ってこの領域では天板を移動させる際に該付勢力に抗する必要がないからである。
【００１１】
特に、前記天板の下面に、コイルばねの自由端側を支持可能な自由端ブラケットを設けているとともに、前記自由端ブラケットが、コイルばねの自由端側を天板の下面から離間させた位置で支持するものであれば、天板が所定位置よりも収納位置に移動した場合に、コイルばねの自由端が天板から離間して移動する際の余地を確保できる。
【００１２】
さらに、本発明の効果を好適に得ることができる態様として、前記天板が、左右１対に設けてなる天板要素を有するとともに、前記左右の天板要素がそれぞれ使用位置と収納位置との間で回動可能であるものが挙げられる。
【００１３】
特に、前記左右の天板要素間にこれら左右の天板要素を同期させて移動させるべくリンク機構を設けているものであれば、リンク機構を介して一方の天板要素に加えられた作用を他方の天板要素に伝達できるので、一方の天板要素のみに作用を加えて天板を使用位置から収納位置に、又はその逆方向に移動させることができる。
【発明の効果】
【００１４】
本発明に係る天板付き家具の構成によれば、収納位置において付勢機構のコイルばねが脚体の凹部と天板とにより区成される空間内に収納され、従って付勢機構が脚体及び天板により外部空間から隠蔽されるので、天板付き家具の収納時にコイルばねが外部から衝撃を受けて破損する不具合や、コイルばねの移動軌跡内に異物が挟まり天板を使用位置に移動できなくなる不具合の発生を抑制することができる。
【発明を実施するための最良の形態】
【００１５】
以下、本発明の一実施形態を、図面を参照して説明する。
【００１６】
本実施形態に係る天板付き家具たるテーブルＴは、図１〜図３に示すように、床面から起立させて設けた左右１対の脚体１、１と、この脚体１にそれぞれ使用位置Ｕと収納位置Ｓとの間で回動可能に支持させてなる１対の天板要素２１、２１を有する天板２と、この天板２を収納位置Ｓ側に付勢する付勢機構３とを具備する。なお、前記図１には天板２を使用位置Ｕに配した状態の斜視図、前記図２には天板２を収納位置Ｓに配した状態の斜視図、前記図３には天板２を使用位置Ｕに配した状態の正面図をそれぞれ示している。
【００１７】
前記脚体１は、本実施形態では、奥行き方向に延伸しキャスタ１３を設けてなるベース１１と、このベース１１から起立して設けた脚支柱１２とを具備する。
【００１８】
前記天板２は、左右１対に設けた前記天板要素２１、２１と、これら天板要素２１、２１を同期させて移動させるリンク機構２２と、この天板要素２１を脚体１に接続するための接続部２３とを具備する。前記天板要素２１は、本実施形態では矩形状をなし、使用位置Ｕにおいて一辺を他方の天板要素の一辺に対向させている。また、前記リンク機構２２は、前記天板要素２１、２１にそれぞれ一端部を接続しているとともに、他端部を枢着軸２２２を介して互いに枢着させてなる１対のリンクメンバ２２１、２２１を利用して形成している。そして、前記接続部２３は、前記天板要素２１の下面に添接する添接部２３１ａ及びこの添接部２３１ａから脚支柱１２の前方及び後方に垂下させて設けた垂下部２３１ｂ、２３１ｂを有し幅方向に延伸するブラケット２３１と、このブラケット２３１の両垂下部２３１ｂ、２３１ｂ及び前記脚支柱１２の上端部を貫通する枢着軸２３２とを具備する。
【００１９】
前記付勢機構３は、天板２と脚体１、より詳細には左右の天板要素２１と脚支柱１２との間にそれぞれ設けている。さらに詳述すると、図４〜図６に示すように、この付勢機構３は、脚体１の脚支柱１２に固定端側（固定端部３１２）を支持させてなるとともに天板２に自由端側（自由端部３１３）を支持させてなるコイルばね３１を有する。そして本実施形態では、天板２を収納位置Ｓに移動させた際に、このコイルばね３１を脚体１の脚支柱１２に設けた凹部１ｘと天板２とにより区成される空間内に収納するようにしている。なお、前記図４にはこの付勢機構３の自由端部３１３側からの斜視図、前記図５にはこの付勢機構の固定端部３１２近傍を拡大して示した斜視図、前記図６には天板２を使用位置Ｕに配した状態におけるこの付勢機構３近傍の正断面図をそれぞれ示している。
【００２０】
さらに詳述すると、コイルばね３１は、コイルばねとしての機能を有するコイルばね本体３１１と、このコイルばね本体３１１の一端に設けられ前記脚支柱１２に設けたばね支持部材１２１に支持させてなる固定端部３１２と、前記コイルばね本体３１１の他端に設けられ前記天板２に設けたばね支持ブラケット２４に係合可能な自由端部３１３を形成している。前記固定端部３１２は、通常のコイルばねの端部と同様の構成を有する。一方、前記自由端部３１３は、コイルばね本体３１１からコイルばね本体３１１と逆方向に延伸する第１延伸部３１４と、この第１延伸部３１４の突出端からコイルばね本体３１１側に向けて折り返す折り返し部３１５と、この折り返し部３１５からさらにコイルばね本体３１１側に向かって延伸する第２延伸部３１６とを有する。
【００２１】
前記ばね支持部材１２１は、前記凹部１ｘの奥行き方向に対向する両内面間に固定して設けている。このばね支持部材１２１は、長手方向中央部に、前記コイルばね３１１の固定端部３１２と該コイルばねの奥行き方向の位置決めを行うべく係合可能な位置決め溝１２１ｘを有する。
【００２２】
前記ばね支持ブラケット２４は、天板２の下面に添接する添接部２４１ａ及びこの添接部２４１ａの奥行き方向両端から垂下して１対に設けた垂下部２４１ｂを有するブラケット本体２４１と、このブラケット本体の垂下部の下端近傍間に架設してなり前記コイルばね３１の自由端部３１３と係合可能な支持軸部材２４２とを有する。前記１対の垂下部２４１ｂは、コイルばね３１の自由端３１３側の脚体１の奥行き方向への移動の両端となる。すなわち、コイルばね３１の自由端３１３側の脚体１の奥行き方向への移動を規制する。一方、前記支持軸部材２４２は、天板２の下面から離間させて設けている。そして、この天板２は、ロック機構２５により使用位置Ｕにロック可能である。なお、このばね支持ブラケット２４は請求項中の自由端ブラケットとしての機能を有する。
【００２３】
加えて本実施形態では、前記ばね支持ブラケット２４と前記コイルばね３１の自由端部３１３とが、前記天板２が使用位置Ｕと収納位置Ｓとの間の所定位置から使用位置Ｕ側にある際にのみ係合するようにしている。具体的には、コイルばね３１に作用を加えない状態における該コイルばね３１の全長を、天板２を収納位置Ｓに配した際の脚体１のばね支持部材１２１から前記ばね支持ブラケット２４の支持軸部材２４２までの距離よりも大きくし、前記ばね支持部材１２１から前記支持軸部材２４２までの距離が前記コイルばね３１の全長と等しくなる所定位置よりも天板２が収納位置Ｓ側にある際にはコイルばね３１と支持軸部材２４２との係合か解除されるようにしている。
【００２４】
また、本実施形態では、補助付勢機構４をさらに設けている。この補助付勢機構は、前記枢着軸２３２に巻き回してなるとともに一端部を天板２、他端部を脚体１に支持させてなるねじりコイルばね４１を利用して形成している。そして、このねじりコイルばね４の付勢力により天板２が収納位置Ｓ側に向け常時付勢されるようにしている。
【００２５】
ここで、前記天板２を使用位置Ｕから収納位置Ｓに移動させる際の各部の作用及び域関係について図６〜図９を参照しつつ以下に述べる。
【００２６】
天板２を使用位置Ｕに配している際には、図６に示すように、コイルばね３１の固定端部３１２がばね支持部材１２１、自由端部３１３が支持軸部材２４２にそれぞれ支持されている。そして、このコイルばね３１が、天板２を下面側から脚体１に向けて、すなわち収納位置Ｓに向かう側に弾性付勢している。
【００２７】
ここで、天板２が使用位置Ｕと収納位置Ｓとの間の所定位置に達すると、図７に示すように、ばね支持部材１２１と支持軸部材２４２との距離が、外部から作用を受けない状態におけるコイルばね３１の全長と略等しくなる。この所定位置から天板２をさらに収納入りに向けて移動させると、図８に示すように、コイルばね３１の自由端部３１３と前記支持軸部材２４２との係合が解除され、コイルばね３１の自由端部３１３は支持軸部材２４２と天板２の下面との間を移動する。ここで、コイルばね３１は、前記第１延伸部３１４が支持軸部材２４２と当接した状態でガイドされて移動する。すなわち、前記第１延伸部３１４及び支持軸部材２４２がこのコイルばね３１の移動方向をガイドするガイド機構として機能する。
【００２８】
そして、天板２が収納位置Ｓに達すると、図９に示すように、ばね支持ブラケット２４の幅寸法は前記凹部の幅寸法より小さいので、このばね支持ブラケット２４の下端部及びコイルばね３１の自由端側は脚体１の凹部１ｘ内に収納され、コイルばね３１の残りの部位もこの凹部１ｘと天板２とにより区成される空間内に配される。
【００２９】
以上に述べたように、本実施形態に係るテーブルの構成によれば、付勢機構３が、脚体１に固定端側を支持させてなるとともに天板２に自由端側を支持させてなるコイルばね３１を有するとともに、天板２を収納位置Ｓに移動させた際にこのコイルばね３１を脚体１に設けた凹部１ｘ及び天板２により区成される空間内に収納するようにしているので、コイルばね３１が脚体１及び天板２により外部空間から隠蔽される。従って、テーブルの収納時にコイルばね３１が外部から衝撃を受けて破損する不具合や、コイルばね３１の移動軌跡内に異物２が挟まり天板を移動できなくなる不具合の発生を抑制することができる。
【００３０】
また、コイルばね３１をカバー３２により被覆しているとともに、前記脚体１に前記コイルばね３１の固定端部３１２を支持するばね支持部材１２１を設け、さらに、このばね支持部材１２１に前記コイルばね３１の固定端部３１２と係合可能な位置決め溝１２１ｘを設けているので、コイルばね３１の固定端部３１２を脚体１の奥行き方向について位置決めできる。従って、このコイルばね３１の固定端部３１２が脚体１の奥行き方向に移動することによりコイルばね３１を被覆するカバー３２がねじれ方向の力を受け破損する不具合の発生を防ぐことができる。
【００３１】
さらに、前記天板２の下面に、コイルばね３１の自由端部３１３を支持可能なばね支持ブラケット２４を設けているとともに、このばね支持ブラケット２４の幅寸法が脚体１の凹部１ｘの幅寸法より小さいので、付勢機構３の略全体を無理なく脚体１の凹部１ｘに収納させ、この凹部１ｘと前記天板２とにより区成される空間に配することができる。
【００３２】
また、前記ばね支持ブラケット２４が、天板２の下面に添接する添接部２４１ａ、及びこの奥行き方向両端から垂下して設けた垂下部２４１ｂを有するブラケット本体を具備し、前記垂下部２４１ｂが、コイルばね３１の自由端３１３側の脚体１の奥行き方向への移動を規制するので、テーブルの収納時に前記コイルばね３１の自由端３１３側が脚体１の奥行き方向にぶれることを防ぎ、確実に前記脚体１に設けた凹部１ｘ及び天板２により区成される空間内にコイルばね３１を収納できる。また、このような構成により、コイルばね３１を被覆するカバー３２が収納時に脚体１と天板２との間に挟まり破損する不具合の発生をも抑えることができる。
【００３３】
加えて、前記天板２が使用位置Ｕと収納位置Ｓとの間の所定位置から使用位置Ｕ側にある際にのみ前記コイルばね３１の自由端部３１３がばね支持ブラケット２４を介して天板２に支持されるようにしているので、天板２を収納位置Ｓから前記所定位置まで移動させる際には、天板２が所定位置に達するまで付勢機構３から収納位置Ｓ側に向かう付勢力を受けない。従って収納位置Ｓから所定位置までの領域では天板２を移動させる際に該付勢力に抗する必要がなく、収納位置Ｓから使用位置Ｕへの移動をある程度容易に行うようにすることができる。
【００３４】
また、前記天板２の下面に、コイルばね３１の自由端部３１３を支持可能なばね支持ブラケット２４を設けているとともに、前記ばね支持ブラケット２４が、コイルばね３１の自由端部３１３を天板２の下面から離間させた位置で支持するので、天板２が前記所定位置よりも収納位置Ｓ側に移動した場合に、コイルばね３１の自由端部３１３が天板２から離間して移動する際の余地を確保できる。
【００３５】
そして、前記天板２が、左右１対に設けてなる天板要素２１、２１を有するとともに、前記左右の天板要素２１、２１がそれぞれ使用位置Ｕと収納位置Ｓとの間で回動可能であり、さらに、前記左右の天板要素２１、２１間にこれら左右の天板要素２１、２１を同期させて移動させるべくリンク機構２２を設けているので、リンク機構２２を介して一方の天板要素２１に加えられた作用を他方の天板要素２１に伝達でき、従って、一方の天板要素２１のみに作用を加えて天板２全体を使用位置Ｕから収納位置Ｓに、又はその逆方向に移動させることができる。
【００３６】
なお、本発明は以上に述べたような実施形態に限られない。
【００３７】
例えば、上述した実施形態では、天板が、左右１対に設けてなる天板要素を有するとともに、前記左右の天板要素がそれぞれ使用位置と収納位置との間で回動可能であるが、天板要素を１枚のみ有する天板の天板要素を床面とほぼ平行な使用位置と床面と略垂直な収納位置との間で回動可能に構成したテーブルに本発明を適用してもよい。また、天板が、左右１対に設けてなる天板要素を有し、左右の天板要素が独立に回動可能な構成のテーブルに本発明を適用してもよい。
【００３８】
さらに、前記天板が使用位置と収納位置との間のどの位置にある場合であっても前記コイルばねの自由端側が天板に支持される構成を有するテーブルに本発明を適用してもよい。この場合、コイルばねの自由端側を直接天板の下面に支持させるようにしてもよい。
【００３９】
加えて、上述した実施形態では、天板の下面に、コイルばねの自由端側を支持可能な自由端ブラケットを設け、この自由端ブラケットの全体を脚体の奥行き寸法内に配している構成を採用しているが、脚体に高さ方向に延伸する凹部を設けているとともに天板の下面にこの凹部の幅寸法よりも小さな幅寸法を有し下方に開口する横架材を設け、この横架材の開口部内にコイルばねの自由端側を支持可能な自由端支持部材を設けるようにしてもよい。
【００４０】
そして、コイルばねを被覆するカバーは省略してもよい。この場合、前記コイルばねの固定端側を支持する固定端部材には、前記コイルばねの固定端側と係合可能な位置決め溝を必ずしも設ける必要はない。
【００４１】
その他、本発明の趣旨を逸脱しない範囲で種々変形が可能である。
【図面の簡単な説明】
【００４２】
【図１】本発明の一実施形態に係るテーブルの天板を使用位置に配した状態を示す全体斜視図。
【図２】同実施形態に係るテーブルの天板を収納位置に配した状態を示す全体斜視図。
【図３】同実施形態に係るテーブルの天板を収納位置に配した状態を示す正面図。
【図４】同実施形態に係るテーブルの付勢機構を示す斜視図。
【図５】同実施形態に係るテーブルの付勢機構の固定端側を拡大して示す斜視図。
【図６】同実施形態に係るテーブルの天板を使用位置に配した状態での付勢機構近傍の正断面図。
【図７】同実施形態に係るテーブルの付勢機構の作用を説明するための図。
【図８】同実施形態に係るテーブルの付勢機構の作用を説明するための図。
【図９】同実施形態に係るテーブルの天板を収納位置に配した状態での付勢機構近傍の正断面図。
【符号の説明】
【００４３】
Ｔ…テーブル
１…脚体
１ｘ…凹部
２…天板
３…付勢機構
３１…コイルばね
３１２…固定端部
３１３…自由端部
【図１】
0005213101.tif 000002
【図２】
0005213101.tif 000003
【図３】
0005213101.tif 000004
【図４】
0005213101.tif 000005
【図５】
0005213101.tif 000006
【図６】
0005213101.tif 000007
【図７】
0005213101.tif 000008
【図８】
0005213101.tif 000009
【図９】
0005213101.tif 000010